(57)【要約】【課題】本発明は、互いに異なる出力電圧を出力する一対のＤＣ／ＤＣコンバータ体の出力電圧を出力するオン／オフ切り替えのタイミングを一定化することを目的とする。【解決手段】本発明による複数のＤＣ／ＤＣコンバータの駆動回路及び方法は、第１ＤＣ／ＤＣコンバータ駆動体(2)にコンバータ(26)を用い、第２ＤＣ／ＤＣコンバータ駆動体(3)にフォトカプラ(10)を用い、前記第１ＤＣ／ＤＣコンバータ駆動体(2)を立ち上げた後に、前記第１ＤＣ／ＤＣコンバータ駆動体(2)の出力である第１二次電圧(14)を前記第２ＤＣ／ＤＣコンバータ駆動体(3)の第２入力側(4B)にフィードバックさせるようにした構成と方法である。【選択図】図１
2014192938.tif 000002
【特許請求の範囲】
【請求項１】
第１一次電圧(5)が供給される第１ＤＣ／ＤＣコンバータ駆動体(2)と、前記第１ＤＣ／ＤＣコンバータ駆動体(2)に設けられ前記第１一次電圧(5)側に接続されたコンパレータ(26)と、前記コンパレータ(26)の出力電圧(28)が入力される第１出力側トランジスタ(9)と、前記第１出力側トランジスタ(9)の出力(9a)がゲート(G)に入力される第１正側ＤＣ／ＤＣコンバータ(9A)及び第１負側ＤＣ／ＤＣコンバータ(9B)と、前記第１正側ＤＣ／ＤＣコンバータ(9A)及び第１負側ＤＣ／ＤＣコンバータ(9B)から出力された第１二次電圧(14)が第２入力側(4B)に入力される第２ＤＣ／ＤＣコンバータ駆動体(3)と、前記第２ＤＣ／ＤＣコンバータ駆動体(3)に設けられたフォトカプラ(10)と、前記フォトカプラ(10)に設けられたフォトトランジスタ(12)と、前記フォトトランジスタ(12)の出力が入力される第２出力側トランジスタ(13)と、前記第２出力側トランジスタ(13)の出力(13a)がゲート(G)に入力されると共に第２二次電圧(14A)を出力する第２ＤＣ／ＤＣコンバータ(13A)と、よりなり、
前記第１ＤＣ／ＤＣコンバータ駆動体(2)を立ち上げて前記第１二次電圧(14)を出力した後に、前記第１ＤＣ／ＤＣコンバータ駆動体(2)の前記第１二次電圧(14)を前記第２ＤＣ／ＤＣコンバータ駆動体(3)の第２入力側(4B)にフィードバックさせることにより前記第２二次電圧(14A)を出力させることを特徴とする複数のＤＣ／ＤＣコンバータの駆動回路。
【請求項２】
前記第１一次電圧(5)は２４Ｖで前記第１二次電圧(14)は１５Ｖであり、前記第２二次電圧(14A)は５Ｖであることを特徴とする請求項１記載の複数のＤＣ／ＤＣコンバータの駆動回路。
【請求項３】
前記第１一次電圧(5)が入力される前記第１ＤＣ／ＤＣコンバータ駆動体(2)の正側電源端子(20)と負側電源端子(21)との間には、シャントレギュレータ(22)が設けられ、前記シャントレギュレータ(22)のカソード(K)及びリファレンス端子(24)は前記コンパレータ(26)の正側入力端子(27)に接続されていることを特徴とする請求項１又は２記載の複数のＤＣ／ＤＣコンバータの駆動回路。
【請求項４】
第１一次電圧(5)が供給される第１ＤＣ／ＤＣコンバータ駆動体(2)と、前記第１ＤＣ／ＤＣコンバータ駆動体(2)に設けられ前記第１一次電圧(5)側に接続されたコンパレータ(26)と、前記コンパレータ(26)の出力電圧(28)が入力される第１出力側トランジスタ(9)と、前記第１出力側トランジスタ(9)の出力(9a)がゲート(G)に入力される第１正側ＤＣ／ＤＣコンバータ(9A)及び第１負側ＤＣ／ＤＣコンバータ(9B)と、前記第１正側ＤＣ／ＤＣコンバータ(9A)及び第１負側ＤＣ／ＤＣコンバータ(9B)から出力された第１二次電圧(14)が第２入力側(4B)に入力される第２ＤＣ／ＤＣコンバータ駆動体(3)と、前記第２ＤＣ／ＤＣコンバータ駆動体(3)に設けられたフォトカプラ(10)と、前記フォトカプラ(10)に設けられたフォトトランジスタ(12)と、前記フォトトランジスタ(12)の出力が入力される第２出力側トランジスタ(13)と、前記第２出力側トランジスタ(13)の出力(13a)がゲート(G)に入力されると共に第２二次電圧(14A)を出力する第２ＤＣ／ＤＣコンバータ(13A)と、を用い、
前記第１ＤＣ／ＤＣコンバータ駆動体(2)を立ち上げて前記第１二次電圧(14)を出力した後に、前記第１ＤＣ／ＤＣコンバータ駆動体(2)の前記第１二次電圧(14)を前記第２ＤＣ／ＤＣコンバータ駆動体(3)の第２入力側(4B)にフィードバックさせることにより前記第２二次電圧(14A)を出力させることを特徴とする複数のＤＣ／ＤＣコンバータの駆動方法。
【請求項５】
前記第１一次電圧(5)は２４Ｖで前記第１二次電圧(14)は１５Ｖであり、前記第２二次電圧(14A)は５Ｖであることを特徴とする請求項４記載の複数のＤＣ／ＤＣコンバータの駆動方法。
【請求項６】
前記第１一次電圧(5)が入力される前記第１ＤＣ／ＤＣコンバータ駆動体(2)の正側電源端子(20)と負側電源端子(21)との間には、シャントレギュレータ(22)が設けられ、前記シャントレギュレータ(22)のカソード(K)及びリファレンス端子(24)は前記コンパレータ(26)の正側入力端子(27)に接続されていることを特徴とする請求項４又は５記載の複数のＤＣ／ＤＣコンバータの駆動方法。
【発明の詳細な説明】
【技術分野】
【０００１】
本発明は、複数のＤＣ／ＤＣコンバータの駆動回路及び方法に関し、特に、互いに異なる出力電圧を出力する一対のＤＣ／ＤＣコンバータの出力電圧を出力するオン／オフ切り替えのタイミングを一定化するための新規な改良に関する。
【背景技術】
【０００２】
従来、用いられていたこの種のコンバータ回路としては、特許文献１に開示されている電力変換装置を挙げることができる。
すなわち、前記電力変換装置においては、図示していないが、入力電圧を受けてＤＣ／ＤＣ変換を行う電圧調整部の第１ＤＣ／ＤＣコンバータ駆動体と、この第１ＤＣ／ＤＣコンバータ駆動体の入力側に接続されたキャパシタからＤＣ電圧を供給してＤＣ／ＤＣ変換を行う分電部の第２ＤＣ／ＤＣコンバータ駆動体と、入力電圧の投入によって第１ＤＣ／ＤＣコンバータ駆動体から第１出力電圧の出力を開始し、この第１出力電圧が安定した後に第２ＤＣ／ＤＣコンバータ駆動体から第２出力電圧の出力を開始するように制御する制御部と、から構成されている。
【０００３】
また、文献等は特に開示していないが、一対のＤＣ／ＤＣコンバータ駆動体を用いた構成の複数のＤＣ／ＤＣコンバータ駆動体の駆動回路が採用されており、一般に、図２で示される構成である。
すなわち、図２で示される複数のＤＣ／ＤＣコンバータの駆動回路１には、互いに独立した第１、第２ＤＣ／ＤＣコンバータ駆動体２,３が設けられ、第１ＤＣ／ＤＣコンバータ駆動体２の入力側４には、２４Ｖ電源からなる第１一次電圧５が入力され、この第１一次電圧５は、第１フォトカプラ６の第１発光素子７に印加されている。
【０００４】
前記第１フォトカプラ６の第１フォトトランジスタ８は第１出力側トランジスタ９に接続され、この第１出力側トランジスタ９の出力は第１正側ＤＣ／ＤＣコンバータ９Ａ及び第１負側ＤＣ／ＤＣコンバータ９ＢのゲートＧに入力されて、＋１５Ｖと−１５Ｖの第１二次電圧１４が各ＤＣ／ＤＣコンバータ９Ａ，９Ｂから出力されるように構成されている。
また、前記第２ＤＣ／ＤＣコンバータ駆動体３の第２フォトカプラ１０のダイ２発光素子１１には前記第１二次電圧１４が印加され、第２フォトカプラ１０の第２フォトトランジスタ１２には第２出力側トランジスタ１３が接続され、第２出力側トランジスタ１３の出力が第２正側ＤＣ／ＤＣコンバータ１３ＡのゲートＧに入力されて５Ｖの第２二次電圧１４Ａが出力されるように構成されている。尚、前記第２フォトトランジスタ１２には、２４Ｖの第２一次電圧１２Ａが印加されている。
従って、各ＤＣ／ＤＣコンバータ駆動体２,３の各フォトカプラ６,１０には、異なる閾値が設定され、各フォトカプラ６,１０のオン／オフに応じて１５Ｖと５Ｖの二次電圧１４,１４Ａが各ＤＣ／ＤＣコンバータ９Ａ，９Ｂ，１３Ａから所定のタイミングで時系列的に出力される。
【先行技術文献】
【特許文献】
【０００５】
【特許文献１】特開２００８−１７２９４６号公報
【発明の概要】
【発明が解決しようとする課題】
【０００６】
従来の複数のＤＣ／ＤＣコンバータの駆動回路は、以上のように構成されていたため、次のような課題が存在していた。
すなわち、前述の特許文献１の電力変換装置の場合、一対のＤＣ／ＤＣコンバータを制御するための制御部を付加しなければならず、電力変換装置の小型化への障害となっていた。
また、前述の図２の従来構成の場合、第１ＤＣ／ＤＣコンバータ駆動体２がオンした後に第２ＤＣ／ＤＣコンバータ駆動体３がオンとなり、各ＤＣ／ＤＣコンバータ駆動体２,３からの１５Ｖの出力電圧と５Ｖの出力電圧が所定の時系列に従って出力される構成であるが、第１、第２ＤＣ／ＤＣコンバータ駆動体２,３においては、何れも各フォトカプラ６,１０の各素子の閾値のバラツキが存在するため、各フォトカプラのオン／オフのタイミングが所定通りとならず、各二次電圧のオン／オフ切替えのタイミングも一定とすることが難しく各出力電圧が供給される相手方装置への電源供給のタイミングを正確に安定させることが困難であった。
【課題を解決するための手段】
【０００７】
本発明による複数のＤＣ／ＤＣコンバータの駆動回路は、第１一次電圧が供給される第１ＤＣ／ＤＣコンバータ駆動体と、前記第１ＤＣ／ＤＣコンバータ駆動体に設けられ前記第１一次電圧側に接続されたコンパレータと、前記コンパレータの出力電圧が入力される第１出力側トランジスタと、前記第１出力側トランジスタの出力がゲートに入力される第１正側ＤＣ／ＤＣコンバータ及び第１負側ＤＣ／ＤＣコンバータと、前記第１正側ＤＣ／ＤＣコンバータ及び第１負側ＤＣ／ＤＣコンバータから出力された第１二次電圧が第２入力側に入力される第２ＤＣ／ＤＣコンバータ駆動体と、前記第２ＤＣ／ＤＣコンバータ駆動体に設けられたフォトカプラと、前記フォトカプラに設けられたフォトトランジスタと、前記フォトトランジスタの出力が入力される第２出力側トランジスタと、前記第２出力側トランジスタの出力がゲートに入力されると共に第２二次電圧を出力する第２ＤＣ／ＤＣコンバータと、よりなり、前記第１ＤＣ／ＤＣコンバータ駆動体を立ち上げて前記第１二次電圧を出力した後に、前記第１ＤＣ／ＤＣコンバータ駆動体の前記第１二次電圧を前記第２ＤＣ／ＤＣコンバータ駆動体の第２入力側にフィードバックさせることにより前記第２二次電圧を出力させる構成であり、また、前記第１一次電圧は２４Ｖで前記第１二次電圧は１５Ｖであり、前記第２二次電圧は５Ｖである構成であり、また、前記第１一次電圧が入力される前記第１ＤＣ／ＤＣコンバータ駆動体の正側電源端子と負側電源端子との間には、シャントレギュレータが設けられ、前記シャントレギュレータのカソード及びリファレンス端子は前記コンパレータの正側入力端子に接続されている構成であり、また、本発明による複数のＤＣ／ＤＣコンバータの駆動方法は、第１一次電圧が供給される第１ＤＣ／ＤＣコンバータ駆動体と、前記第１ＤＣ／ＤＣコンバータ駆動体に設けられ前記第１一次電圧側に接続されたコンパレータと、前記コンパレータの出力電圧が入力される第１出力側トランジスタと、前記第１出力側トランジスタの出力がゲートに入力される第１正側ＤＣ／ＤＣコンバータ及び第１負側ＤＣ／ＤＣコンバータと、前記第１正側ＤＣ／ＤＣコンバータ及び第１負側ＤＣ／ＤＣコンバータから出力された第１二次電圧が第２入力側に入力される第２ＤＣ／ＤＣコンバータ駆動体と、前記第２ＤＣ／ＤＣコンバータ駆動体に設けられたフォトカプラと、前記フォトカプラに設けられたフォトトランジスタと、前記フォトトランジスタの出力が入力される第２出力側トランジスタと、前記第２出力側トランジスタの出力がゲートに入力されると共に第２二次電圧を出力する第２ＤＣ／ＤＣコンバータと、を用い、前記第１ＤＣ／ＤＣコンバータ駆動体を立ち上げて前記第１二次電圧を出力した後に、前記第１ＤＣ／ＤＣコンバータ駆動体の前記第１二次電圧を前記第２ＤＣ／ＤＣコンバータ駆動体の第２入力側にフィードバックさせることにより前記第２二次電圧を出力させる方法であり、また、前記第１一次電圧は２４Ｖで前記第１二次電圧は１５Ｖであり、前記第２二次電圧は５Ｖである方法であり、また、前記第１一次電圧が入力される前記第１ＤＣ／ＤＣコンバータ駆動体の正側電源端子と負側電源端子との間には、シャントレギュレータが設けられ、前記シャントレギュレータのカソード及びリファレンス端子は前記コンパレータの正側入力端子に接続されている方法である。
【発明の効果】
【０００８】
本発明による複数のＤＣ／ＤＣコンバータの駆動回路及び方法は、以上のように構成されているため、次のような効果を得ることができる。
すなわち、第１一次電圧が供給される第１ＤＣ／ＤＣコンバータ駆動体と、前記第１ＤＣ／ＤＣコンバータ駆動体に設けられ前記第１一次電圧側に接続されたコンパレータと、前記コンパレータの出力電圧が入力される第１出力側トランジスタと、前記第１出力側トランジスタの出力がゲートに入力される第１正側ＤＣ／ＤＣコンバータ及び第１負側ＤＣ／ＤＣコンバータと、前記第１正側ＤＣ／ＤＣコンバータ及び第１負側ＤＣ／ＤＣコンバータから出力された第１二次電圧が第２入力側に入力される第２ＤＣ／ＤＣコンバータ駆動体と、前記第２ＤＣ／ＤＣコンバータ駆動体に設けられたフォトカプラと、前記フォトカプラに設けられたフォトトランジスタと、前記フォトトランジスタの出力が入力される第２出力側トランジスタと、前記第２出力側トランジスタの出力がゲートに入力されると共に第２二次電圧を出力する第２ＤＣ／ＤＣコンバータと、よりなり、前記第１ＤＣ／ＤＣコンバータ駆動体を立ち上げて前記第１二次電圧を出力した後に、前記第１ＤＣ／ＤＣコンバータ駆動体の前記第１二次電圧を前記第２ＤＣ／ＤＣコンバータ駆動体の第２入力側にフィードバックさせることにより前記第２二次電圧を出力させることにより、コンパレータと１個のフォトカプラであるため、従来のような一対のフォトカプラによるオン／オフと比べると、切り替えのタイミングがばらつくことはなく、各出力電圧の安定した切り替えを行うことができる。
前記第１一次電圧は２４Ｖで前記第１二次電圧は１５Ｖであり、前記第２二次電圧は５Ｖであることにより、１５Ｖと５Ｖの出力電圧を安定したタイミングで切換えることができる。
前記第１一次電圧が入力される前記第１ＤＣ／ＤＣコンバータ駆動体の正側電源端子と負側電源端子との間には、シャントレギュレータが設けられ、前記シャントレギュレータのカソード及びリファレンス端子は前記コンパレータの正側入力端子に接続されていることにより、安定した定電圧をコンパレータの正側入力端子に供給し、コンパレータの安定した動作を得ることができる。
【図面の簡単な説明】
【０００９】
【図１】本発明による複数のＤＣ／ＤＣコンバータの駆動回路及び方法を示す回路図である。
【図２】従来の複数のＤＣ／ＤＣコンバータの制御回路を示す回路図である。
【発明を実施するための形態】
【００１０】
本発明は、互いに異なる出力電圧を出力する一対のＤＣ／ＤＣコンバータの出力電圧を出力するオン／オフ切り替えのタイミングを一定化するようにした複数のＤＣ／ＤＣコンバータの駆動回路及び方法を提供することを目的とする。
【実施例】
【００１１】
以下、図面と共に本発明による複数のＤＣ／ＤＣコンバータの駆動回路及び方法の好適な実施の形態について説明する。
尚、従来例と同一又は同等部分には、同一符号を付して説明する。
図１における複数のＤＣ／ＤＣコンバータの駆動回路１においては、第１ＤＣ／ＤＣコンバータ駆動体２に第２ＤＣ／ＤＣコンバータ駆動体３が接続されて構成されている。
【００１２】
前記第１ＤＣ／ＤＣコンバータ駆動体２の入力側４には、正・負電源端子２０,２１間電圧として２４Ｖの第１一次電圧５が入力され、前記各正・負電源端子２０,２１間には、第１抵抗Ｒ１とシャントレギュレータ３２が第１接続点２３を介して直列に接続され、この第１接続点２３には前記シャントレギュレータ２２のリファレンス端子２４が第２接続点２５を介して接続されると共に、前記第１、第２接続点２３,２５はコンパレータ２６の正側入力端子２７に接続され、このコンパレータ２６の出力電圧２８は、第１出力側トランジスタ９のゲートＧに入力されている。
前記第１出力側トランジスタ９の出力９ａは第１正側ＤＣ／ＤＣコンバータ９Ａ及び第１負側ＤＣ／ＤＣコンバータ９ＢのゲートＧに入力されている。
【００１３】
前記正・負側電源端子２０,２１間には、前記第１抵抗Ｒ１とシャントレギュレータ２２に対して並列な関係で、第２、第３、第４抵抗Ｒ２，Ｒ３，Ｒ４が接続され、この第２、第３、第４抵抗Ｒ２，Ｒ３，Ｒ４に対して並列な関係でダイオードＤとコンデンサＣが直列に接続されている。
前記第４抵抗Ｒ４とコンデンサＣの一端は、第３、第４接続点２９,３０を介して前記コンパレータ２６の負側入力端子３１に接続されていることにより、前記負側入力端子３１に基準電圧３２が入力されている。
【００１４】
前記ダイオードＤとコンデンサＣに対して並列な状態で、前記正・負側電源端子２０,２１間には第５、第６抵抗Ｒ５，Ｒ６が直列に接続され、前記第５、第６抵抗Ｒ5，Ｒ６間の第５接続点３３には前記コンパレータ２６からの前記出力電圧２８が接続され、この出力電圧２８は前述のように、前記第１出力側トランジスタ９のゲートＧに入力されている。
【００１５】
前記第２ＤＣ／ＤＣコンバータ駆動体３のフォトカプラ１０の発光素子１１には、＋１５Ｖと−１５Ｖの前記第１二次電圧１４が各ＤＣ／ＤＣコンバータ９Ａ，９Ｂから第２ＤＣ／ＤＣコンバータ駆動体３へフィードバックされる状態で入力され、この発光素子１１に対向配置のフォトトランジスタ１２のエミッタＥはグランドである前記負側電源端子２１に接続されている。
前記フォトトランジスタ１２のコレクタＣは第２出力側トランジスタ１３のゲートＧに接続され、前記第２出力側トランジスタ１３の出力１３ａは、＋５Ｖの第２二次電圧１４Ａを出力するための第２ＤＣ／ＤＣコンバータ１３ＡのゲートＧに入力されている。
【００１６】
前記第１ＤＣ／ＤＣコンバータ駆動体２の正側電源端子２０である２４Ｖ電源は、第７抵抗Ｒ７を介して前記第２ＤＣ／ＤＣコンバータ駆動体３のフォトトランジスタ１２のコレクタＣ及び第２出力側トランジスタ１３のゲートＧに第６接続点３４を介して入力され、この第６接続点３４は第８抵抗Ｒ８を介して前記負側電源端子２１に接続されて接地されている。
【００１７】
次に、前述の本発明による複数のＤＣ／ＤＣコンバータの駆動回路１において、前記第１ＤＣ／ＤＣコンバータ駆動体２に第１一次電圧５の２４Ｖが入力されると、前記シャントレギュレータ２２で定電圧化された電圧がコンパレータ２６の正側入力端子２７に入力されると共に前記基準電圧３２が前記負側入力端子３１に入力され、比較処理後の出力電圧２８は、第１出力側トランジスタ９を介して第１正側ＤＣ／ＤＣコンバータ９Ａと第１負側ＤＣ／ＤＣコンバータ９ＢのゲートＧに入力されることにより、第１二次電圧１４が各ＤＣ／ＤＣコンバータ９Ａ，９Ｂから出力される。
【００１８】
前述の第１二次電圧１４が出力された後に、この第１二次電圧１４は、前記第２ＤＣ／ＤＣコンバータ駆動体３のフォトカプラ１０の発光素子１１に駆動電圧としてフィードバックされる状態で入力され、このフォトカプラ１０のフォトトランジスタ１２の出力電圧が前記第２出力側トランジスタ１３に入力され、この第２出力側トランジスタ１３の出力１３ａが第２ＤＣ／ＤＣコンバータ１３ＡのゲートＧに入力されて５Ｖの第２二次電圧１４Ａが出力される。
従って、前述の動作により、コンパレータ２６とフォトカプラ１０のオン／オフのタイミングは従来構成よりも安定し、各二次電圧１４,１４Ａの出力タイミングを安定をさせることができる。
【００１９】
尚、前述の本発明による複数のＤＣ／ＤＣコンバータの駆動回路及び方法をまとめると次の通りである。
すなわち、第１一次電圧５が供給される第１ＤＣ／ＤＣコンバータ駆動体２と、前記第１ＤＣ／ＤＣコンバータ駆動体２に設けられ前記第１一次電圧５側に接続されたコンパレータ２６と、前記コンパレータ２６の出力電圧２８が入力される第１出力側トランジスタ９と、前記第１出力側トランジスタ９の出力９ａがゲートＧに入力される第１正側ＤＣ／ＤＣコンバータ９Ａ及び第１負側ＤＣ／ＤＣコンバータ９Ｂと、前記第１正側ＤＣ／ＤＣコンバータ９Ａ及び第１負側ＤＣ／ＤＣコンバータ９Ｂから出力された第１二次電圧１４が第２入力側４Ｂに入力される第２ＤＣ／ＤＣコンバータ駆動体３と、前記第２ＤＣ／ＤＣコンバータ駆動体３に設けられたフォトカプラ１０と、前記フォトカプラ１０に設けられたフォトトランジスタ１２と、前記フォトトランジスタ１２の出力が入力される第２出力側トランジスタ１３と、前記第２出力側トランジスタ１３の出力１３ａがゲートＧに入力されると共に第２二次電圧１４Ａを出力する第２ＤＣ／ＤＣコンバータ１３Ａと、よりなり、前記第１ＤＣ／ＤＣコンバータ駆動体２を立ち上げて前記第１二次電圧１４を出力した後に、前記第１ＤＣ／ＤＣコンバータ駆動体２の前記第１二次電圧１４を前記第２ＤＣ／ＤＣコンバータ駆動体３の第２入力側４Ｂにフィードバックさせることにより前記第２二次電圧１４Ａを出力させるようにした構成であり、また、前記第１一次電圧５は２４Ｖで前記第１二次電圧１４Ａは１５Ｖであり、前記第２二次電圧１４Ａは５Ｖである構成と方法であり、また、前記第１一次電圧５が入力される前記第１ＤＣ／ＤＣコンバータ駆動体２の正側電源端子２０と負側電源端子２１との間には、シャントレギュレータ２２が設けられ、前記シャントレギュレータ２２のカソードＫ及びリファレンス端子２４は前記コンパレータ２６の正側入力端子２７に接続されている構成と方法である。
【産業上の利用可能性】
【００２０】
本発明による複数のＤＣ／ＤＣコンバータの駆動回路及び方法は、互いに異なる出力電圧を出力する第１、第２ＤＣ／ＤＣコンバータの駆動体の出力タイミングを一定化することにより、互いに異なる出力電圧の出力タイミングを一定とすることができる。
【符号の説明】
【００２１】
１    複数のＤＣ／ＤＣコンバータの駆動回路
２    第１ＤＣ／ＤＣコンバータ駆動体
３    第２ＤＣ／ＤＣコンバータ駆動体
４Ａ    第１入力側
４Ｂ    第２入力側
５    第１一次電圧
９    第１出力側トランジスタ
９Ａ    第１正側ＤＣ／ＤＣコンバータ
９Ｂ    第１負側ＤＣ／ＤＣコンバータ
１０    フォトカプラ
１１    発光素子
１２    フォトトランジスタ
１３    第２出力側トランジスタ
１３Ａ    第２ＤＣ／ＤＣコンバータ
１４    第１二次電圧
１４Ａ    第２二次電圧
２０    正側電源端子
２１    負側電源端子
２２    シャントレギュレータ
２３    第１接続点
２４    リファレンス端子
２５    第２接続点
２６    コンパレータ
２７    正側入力端子
２８    出力電圧
２９    第３接続点
３０    第４接続点
３１    負側入力端子
３２    基準電圧
３３    第５接続点
【図１】
2014192938.tif 000003
【図２】
2014192938.tif 000004